(57)【要約】【課題】前面などに設けられた第１の操作部と、背面などに設けられた第２の操作部とを有するリモコン装置において、リモコンをハンガーから離脱させたときに予期せずに操作信号が送信することを防止する。【解決手段】リモコン２０がハンガー１０に装着されているときには、リモコン２０の前面又は上面の第１スイッチを操作すると、信号が送信される。リモコン２０がハンガー１０から離脱している場合には、リモコン２０の背面の第２スイッチが操作されたときには、信号が送信される。リモコン２０がハンガー１０から離脱している場合には、第１スイッチについては無効とするか、又は特定の複数の第１スイッチを長押しした場合には、特定の条件変更のための信号を送信する。【選択図】図５
2010196446.tif 000002
【特許請求の範囲】
【請求項１】
操作部と、該操作部の操作に応じて機器制御信号を発信するリモコンと、該リモコンが着脱自在に装着されるハンガーとを備え、
該リモコンにはハンガーへの装着を検知する検知手段が設けられており、
該操作部として、リモコンを該ハンガーに装着した状態で視認可能な位置に配置された第１の操作部と、リモコンを該ハンガーに装着した状態で視認不可能な位置に配置された第２の操作部とが設けられているリモコン装置において、
該リモコンがハンガーから離脱した状態では、いずれの１つの第１の操作部が操作されても該リモコンは制御信号を送信しないように構成されたことを特徴とするリモコン装置。
【請求項２】
操作部と、該操作部の操作に応じて機器制御信号を発信するリモコンと、該リモコンが着脱自在に装着されるハンガーとを備え、
該リモコンにはハンガーへの装着を検知する検知手段が設けられており、
該操作部として、リモコンを該ハンガーに装着した状態で視認可能な位置に配置された第１の操作部と、リモコンを該ハンガーに装着した状態で視認不可能な位置に配置された第２の操作部とが設けられており、
該第１の操作部の一部は、機器を停止させるストップ用操作部であるリモコン装置において、
該リモコンがハンガーから離脱した状態では、該ストップ用操作部以外のいずれの１つの第１の操作部が操作されても該リモコンは制御信号を送信しないように構成されたことを特徴とするリモコン装置。
【請求項３】
操作部と、該操作部の操作に応じて機器制御信号を発信するリモコンと、該リモコンが着脱自在に装着されるハンガーとを備え、
該リモコンにはハンガーへの装着を検知する検知手段が設けられており、
該操作部として、リモコンを該ハンガーに装着した状態で視認可能な位置に配置された第１の操作部と、リモコンを該ハンガーに装着した状態で視認不可能な位置に配置された第２の操作部とが設けられており、
該操作部の一部は、前記機器の電源を入切する電源オンオフ用操作部であるリモコン装置において、
該電源オンオフ用操作部によって機器を電源オン状態としてあり、かつ該リモコンがハンガーから離脱した状態にあるときには、いずれの第１の操作部が操作されても該リモコンは制御信号を送信しないように構成されたことを特徴とするリモコン装置。
【請求項４】
操作部と、該操作部の操作に応じて機器制御信号を発信するリモコンと、該リモコンが着脱自在に装着されるハンガーとを備え、
該リモコンにはハンガーへの装着を検知する検知手段が設けられており、
該操作部として、リモコンを該ハンガーに装着した状態で視認可能な位置に配置された第１の操作部と、リモコンを該ハンガーに装着した状態で視認不可能な位置に配置された第２の操作部とが設けられており、
該操作部の一部は、前記機器の電源を入切する電源オンオフ用操作部と、機器を停止させるストップ用操作部であるリモコン装置において、
該電源オンオフ用操作部によって機器を電源オン状態としてあり、かつ該リモコンがハンガーから離脱した状態にあるときには、該ストップ用操作部以外のいずれの第１の操作部が操作されても該リモコンは制御信号を送信せず、該ストップ用操作部が操作されたときには機器を停止させるストップ信号を送信するように構成されたことを特徴とするリモコン装置。
【請求項５】
請求項３又は４において、該電源オンオフ用操作部によって機器を電源オフ状態としてあり、かつ該リモコンがハンガーから離脱した状態にあるときには、電源オンオフ用操作部が操作された場合には電源オン信号を送信するよう構成されたことを特徴とするリモコン装置。
【請求項６】
請求項１又は２において、前記リモコンがハンガーから離脱状態において、予め設定された複数の操作部を所定時間以上操作したときには、予め設定された信号を送信するよう構成されたことを特徴とするリモコン装置。
【請求項７】
請求項１ないし５のいずれか１項において、前記リモコンがハンガーから離脱した状態において、予め設定された複数の操作部を所定時間以上操作したときには、その後いずれの操作部を操作してもそれに対応した信号を送信するよう構成されたことを特徴とするリモコン装置。
【請求項８】
操作部と、該操作部の操作に応じて機器制御信号を発信するリモコンと、該リモコンが着脱自在に装着されるハンガーとを備え、
該リモコンにはハンガーへの装着を検知する装着検知手段が設けられており、
該操作部として、リモコンを該ハンガーに装着した状態で視認可能な位置に配置された第１の操作部と、リモコンを該ハンガーに装着した状態で視認不可能な位置に配置された第２の操作部とが設けられているリモコン装置において、
前記リモコンがハンガーに装着されている状態においていずれか１つの第１の操作部が操作されたときには、所定時間待機し、この間に装着検知手段が装着を検知し続けている場合、該所定時間経過後に装着された第１の操作部に対応した信号を送信し、この間に装着検知手段が装着不検知となった場合には、信号を送信しないことを特徴とするリモコン装置。
【請求項９】
操作部と、該操作部の操作に応じて機器制御信号を発信するリモコンと、該リモコンが着脱自在に装着されるハンガーとを備え、
該リモコンにはハンガーへの装着を検知する装着検知手段が設けられており、
該操作部として、リモコンを該ハンガーに装着した状態で視認可能な位置に配置された第１の操作部と、リモコンを該ハンガーに装着した状態で視認不可能な位置に配置された第２の操作部とが設けられているリモコン装置において、
前記リモコンがハンガーから離脱している状態においていずれか１つの第１又は第２の操作部が操作されたときには、所定時間待機し、この間に装着検知手段が装着不検知である場合、該所定時間経過後に装着された操作部に対応した信号を送信し、この間に装着検知手段が装着を検知した場合には、信号を送信しないことを特徴とするリモコン装置。
【請求項１０】
請求項１ないし９のいずれか１項において、前記視認不可能な位置はリモコンの背面であることを特徴とするリモコン装置。
【請求項１１】
請求項１ないし１０のいずれか１項において、前記視認可能な位置は、リモコンの前面又は前面と上面であることを特徴とするリモコン装置。
【請求項１２】
請求項１ないし７のいずれか１項において、前記視認不可能な位置に該リモコンがハンガーから離脱したときにオンとなり、該リモコンをハンガーに装着したときにはオフとなる表示部が設けられていることを特徴とするリモコン装置。
【請求項１３】
請求項１ないし１１のいずれか１項に記載のリモコン装置と、該リモコン装置によって操作される機器を備えた便器とを有するトイレ設備。
【発明の詳細な説明】
【技術分野】
【０００１】
本発明は、リモコン装置に係り、特にリモコンがハンガーに着脱可能に装着されており、このリモコンの前面などの視認可能な位置と背面など視認不可能な位置とにそれぞれ操作部が設けられているリモコン装置に関する。また、本発明は、このリモコン装置を備えたトイレ設備に関する。
【背景技術】
【０００２】
従来、トイレ用機器等の装置を操作するためのリモコンにおいて、使用頻度の低いスイッチ類を開閉可能なカバーで覆うと共に、使用頻度の高いスイッチ類を、リモコンのうち該カバーで覆われない常時露出前面や、該カバーの前面に配置することが行われている。
【０００３】
また、特開２００５−２０４２７１には、リモコンの前面に使用頻度の高い第１のスイッチを配置し、リモコンの背面に使用頻度の低い第２のスイッチを配置し、リモコンをハンガーから取り外して第２のスイッチを操作するよう構成したリモコン装置が記載されている。
【先行技術文献】
【特許文献】
【０００４】
【特許文献１】特開２００５−２０４２７１
【発明の概要】
【発明が解決しようとする課題】
【０００５】
上記特開２００５−２０４２７１のリモコン装置にあっては、リモコン背面の第２のスイッチを操作する場合などにリモコンをハンガーから離脱させたときに、指などがスイッチに触れてしまい、予期せずに機器が動作するおそれがある。
【０００６】
本発明は、前面など視認可能な位置に設けられた第１の操作部と、ハンガーに装着されたときに視認されない背面などに設けられた第２の操作部とを有するリモコン装置において、リモコンをハンガーから離脱させたときに予期せずに操作信号が送信されることが防止されたリモコン装置と、このリモコン装置を用いたトイレ設備とを提供することを目的とする。
【課題を解決するための手段】
【０００７】
請求項１のリモコン装置は、操作部と、該操作部の操作に応じて機器制御信号を発信するリモコンと、該リモコンが着脱自在に装着されるハンガーとを備え、該リモコンにはハンガーへの装着を検知する検知手段が設けられており、該操作部として、リモコンを該ハンガーに装着した状態で視認可能な位置に配置された第１の操作部と、リモコンを該ハンガーに装着した状態で視認不可能な位置に配置された第２の操作部とが設けられているリモコン装置において、該リモコンがハンガーから離脱した状態では、いずれの１つの第１の操作部が操作されても該リモコンは制御信号を送信しないように構成されたことを特徴とするものである。
【０００８】
請求項２のリモコン装置は、操作部と、該操作部の操作に応じて機器制御信号を発信するリモコンと、該リモコンが着脱自在に装着されるハンガーとを備え、該リモコンにはハンガーへの装着を検知する検知手段が設けられており、該操作部として、リモコンを該ハンガーに装着した状態で視認可能な位置に配置された第１の操作部と、リモコンを該ハンガーに装着した状態で視認不可能な位置に配置された第２の操作部とが設けられており、該第１の操作部の一部は、機器を停止させるストップ用操作部であるリモコン装置において、該リモコンがハンガーから離脱した状態では、該ストップ用操作部以外のいずれの１つの第１の操作部が操作されても該リモコンは制御信号を送信しないように構成されたことを特徴とするものである。
【０００９】
請求項３のリモコン装置は、操作部と、該操作部の操作に応じて機器制御信号を発信するリモコンと、該リモコンが着脱自在に装着されるハンガーとを備え、該リモコンにはハンガーへの装着を検知する検知手段が設けられており、該操作部として、リモコンを該ハンガーに装着した状態で視認可能な位置に配置された第１の操作部と、リモコンを該ハンガーに装着した状態で視認不可能な位置に配置された第２の操作部とが設けられており、該操作部の一部は、前記機器の電源を入切する電源オンオフ用操作部であるリモコン装置において、該電源オンオフ用操作部によって機器を電源オン状態としてあり、かつ該リモコンがハンガーから離脱した状態にあるときには、いずれの第１の操作部が操作されても該リモコンは制御信号を送信しないように構成されたことを特徴とするものである。
【００１０】
請求項４のリモコン装置は、操作部と、該操作部の操作に応じて機器制御信号を発信するリモコンと、該リモコンが着脱自在に装着されるハンガーとを備え、該リモコンにはハンガーへの装着を検知する検知手段が設けられており、該操作部として、リモコンを該ハンガーに装着した状態で視認可能な位置に配置された第１の操作部と、リモコンを該ハンガーに装着した状態で視認不可能な位置に配置された第２の操作部とが設けられており、該操作部の一部は、前記機器の電源を入切する電源オンオフ用操作部と、機器を停止させるストップ用操作部であるリモコン装置において、該電源オンオフ用操作部によって機器を電源オン状態としてあり、かつ該リモコンがハンガーから離脱した状態にあるときには、該ストップ用操作部以外のいずれの第１の操作部が操作されても該リモコンは制御信号を送信せず、該ストップ用操作部が操作されたときには機器を停止させるストップ信号を送信するように構成されたことを特徴とするものである。
【００１１】
請求項５のリモコン装置は、請求項３又は４において、該電源オンオフ用操作部によって機器を電源オフ状態としてあり、かつ該リモコンがハンガーから離脱した状態にあるときには、電源オンオフ用操作部が操作された場合には電源オン信号を送信するよう構成されたことを特徴とするものである。
【００１２】
請求項６のリモコン装置は、請求項１又は２において、前記リモコンがハンガーから離脱状態において、予め設定された複数の操作部を所定時間以上操作したときには、予め設定された信号を送信するよう構成されたことを特徴とするものである。
【００１３】
請求項７のリモコン装置は、請求項１ないし５のいずれか１項において、前記リモコンがハンガーから離脱した状態において、予め設定された複数の操作部を所定時間以上操作したときには、その後いずれの操作部を操作してもそれに対応した信号を送信するよう構成されたことを特徴とするものである。
【００１４】
請求項８のリモコン装置は、操作部と、該操作部の操作に応じて機器制御信号を発信するリモコンと、該リモコンが着脱自在に装着されるハンガーとを備え、該リモコンにはハンガーへの装着を検知する装着検知手段が設けられており、該操作部として、リモコンを該ハンガーに装着した状態で視認可能な位置に配置された第１の操作部と、リモコンを該ハンガーに装着した状態で視認不可能な位置に配置された第２の操作部とが設けられているリモコン装置において、前記リモコンがハンガーに装着されている状態においていずれか１つの第１の操作部が操作されたときには、所定時間待機し、この間に装着検知手段が装着を検知し続けている場合、該所定時間経過後に装着された第１の操作部に対応した信号を送信し、この間に装着検知手段が装着不検知となった場合には、信号を送信しないことを特徴とするものである。
【００１５】
請求項９のリモコン装置は、操作部と、該操作部の操作に応じて機器制御信号を発信するリモコンと、該リモコンが着脱自在に装着されるハンガーとを備え、該リモコンにはハンガーへの装着を検知する装着検知手段が設けられており、該操作部として、リモコンを該ハンガーに装着した状態で視認可能な位置に配置された第１の操作部と、リモコンを該ハンガーに装着した状態で視認不可能な位置に配置された第２の操作部とが設けられているリモコン装置において、前記リモコンがハンガーから離脱している状態においていずれか１つの第１又は第２の操作部が操作されたときには、所定時間待機し、この間に装着検知手段が装着不検知である場合、該所定時間経過後に装着された操作部に対応した信号を送信し、この間に装着検知手段が装着を検知した場合には、信号を送信しないことを特徴とするものである。
【００１６】
請求項１０のリモコン装置は、請求項１ないし９のいずれか１項において、前記視認不可能な位置はリモコンの背面であることを特徴とするものである。
【００１７】
請求項１１のリモコン装置は、請求項１ないし１０のいずれか１項において、前記視認可能な位置は、リモコンの前面又は前面と上面であることを特徴とするものである。
【００１８】
請求項１２のリモコン装置は、請求項１ないし７のいずれか１項において、前記視認不可能な位置に該リモコンがハンガーから離脱したときにオンとなり、該リモコンをハンガーに装着したときにはオフとなる表示部が設けられていることを特徴とするものである。
【００１９】
請求項１３のトイレ設備は、請求項１ないし１１のいずれか１項に記載のリモコン装置と、該リモコン装置によって操作される機器を備えた便器とを有するものである。
【発明の効果】
【００２０】
請求項１のリモコン装置にあっては、リモコンがハンガーから離脱した状態では、第１の操作部を操作してもリモコンは制御信号を送信しない操作無効モードとなり、予期せずに機器が動作（起動、停止、作動状態の変更など）することが防止される。
【００２１】
請求項２のリモコン装置にあっては、リモコンがハンガーから離脱した状態では、ストップ用操作部以外の第１の操作部を操作してもリモコンは制御信号を送信しない操作無効モードとなり、予期せずに機器が動作することが防止される。ストップ用操作部を操作したときには、ストップ信号が送信されるので、例えば温水洗浄ノズルから温水を噴出させているときに温水噴出を停止させることができる。
【００２２】
請求項３のリモコン装置にあっては、機器を電源オン状態としてあると、いずれのスイッチも操作無効モードとなり、リモコンをハンガーから離脱させたときにはいずれの第１の操作部が操作されても制御信号は送信されない。従って、予期せずに機器が動作することが防止される。
【００２３】
請求項４のリモコン装置にあっては、機器が電源オンになっており、かつ、リモコンをハンガーから離脱させた状態にあるときには、ストップ用操作部が操作されるとストップ信号が送信されるが、ストップ用操作部以外の第１の操作部は操作無効モードとなり、操作されても制御信号は送信されない。従って、電源オン状態には、ストップ用操作部以外のいずれの第１の操作部を操作しても制御信号は送信されないので、予期せずに機器が動作することが防止される。ただし、この状態でストップ用操作部が操作されたときには、ストップ信号が送信されるので、機器を停止させることは可能である。従って、温水洗浄ノズルからの温水噴出を急に止める必要が生じたときでも、直ちに温水噴出をストップさせることが可能である。
【００２４】
請求項５のリモコン装置にあっては、請求項３又は４において機器の電源がオフ状態であれば、ハンガーから離脱されたリモコンの電源オンオフ用操作部を操作すると、電源オン信号が送信される。従って、機器の使用を直ちに開始したい場合には、リモコンをハンガーに装着することなく機器の電源をオンにすることができる。
【００２５】
請求項６のリモコン装置にあっては、リモコンがハンガーから離脱状態にあるときでも、予め設定した複数の操作部を所定時間以上操作すると、予め設定した特定信号、例えばブザー音の入／切、便器洗浄時間の変更、温水洗浄の噴出強度の変更、温水タンクの水抜き、各種設定の初期化などの信号を送信することができる。リモコンをハンガーに着脱する際に指が１つ又は複数の操作部に短時間触れたりしてもこの特定信号は送信されないから、予期せずに機器が動作したり動作条件が変更されたりすることはない。
【００２６】
請求項７のリモコン装置にあっては、リモコンが離脱状態にあるときに特定の複数の操作部を所定時間以上操作すると、操作部の無効状態が解除され、いずれの操作部を操作しても、それに対応した信号が送信される。
【００２７】
請求項８のリモコン装置にあっては、離脱状態のリモコンの操作部が操作された場合、所定時間待機する。この間にリモコンがハンガーに装着されたときには、操作部の操作は、指などが誤って操作部に触れたことによるものとみなし、信号を送信しない。この待機時間内にリモコンがハンガーに装着されないときには、操作部の操作は意図したものであるとみなし、操作された操作部に対応した信号を送信する。
【００２８】
請求項９のリモコン装置にあっては、ハンガーに装着された状態のリモコンの操作部が操作された場合、所定時間待機する。この間にリモコンがハンガーから離脱した時には、操作部の操作は、指などが誤って操作部に触れたことによるものとみなし、信号を送信しない。この待機時間内にリモコンがハンガーに装着されたときには、操作部の操作は意図したものであるとみなし、操作された操作部に対応した信号を送信する。
【００２９】
請求項１０の通り、視認不可能な位置はリモコンの背面が好適であり、請求項１１の通り視認可能な位置はリモコンの前面又は前面と上面が好適である。
【００３０】
請求項１２の通り、リモコンをハンガーに装着した状態で視認されない位置に表示部を設け、リモコンをハンガーから離脱させると、この表示部に離脱したことを示す表示を表示させることにより、第２の操作部が操作可能であることを容易に認識することができる。この表示は、リモコンをハンガーに装着すると停止するので、リモコンの電池の消耗を抑制することができる。
【００３１】
請求項１３の通り、本発明のリモコン装置はトイレ設備に適用するのに好適である。
【図面の簡単な説明】
【００３２】
【図１】実施の形態に係るトイレ設備の斜視図である。
【図２】実施の形態に係るリモコン装置の斜視図である。
【図３】リモコンの背面下方からの斜視図である。
【図４】リモコンの回路ブロック図である。
【図５】実施の形態を示すフローチャートである。
【図６】実施の形態を示すフローチャートである。
【図７】実施の形態を示すフローチャートである。
【図８】実施の形態を示すフローチャートである。
【図９】実施の形態を示すフローチャートである。
【図１０】実施の形態を示すフローチャートである。
【発明を実施するための形態】
【００３３】
以下、図面を参照して本発明の好適な形態について説明する。第１図は実施の形態に用いられるリモコンが設置されたトイレルームの斜視図、第２図はリモコンとハンガーとを示す斜視図、第３図はリモコンの背面の下方からの斜視図、第４図はリモコンの回路ブロック図である。
【００３４】
第１図に示すように、洋風水洗式便器にトイレ用機器が組み込まれている。この洋風水洗式便器では洋風便器本体１の後部に便座ボックス２が設置され、該便座ボックス２には、便座３及び便蓋４が回動可能に取り付けられている。便座３には着座センサ及び便座用ヒータが設けられている。
【００３５】
この便座ボックス２の内部には、便座着座者の臀部を温水で洗浄するための温水洗浄装置（図示略）の洗浄ノズル５と、洋風便器本体１を使用する者を検知するための人体検知センサ６と、音声装置（図示略）のスピーカ７が設けられている。便座ボックス２の側面には手動式フラッシュハンドル８が設けられている。
【００３６】
図示は省略するが、便座ボックス２内には、臀部乾燥用温風ファン、脱臭装置、足元及び便鉢内を照らす照明装置、トイレルーム内にプラスイオンとマイナスイオンとを放出するイオン発生器、トイレルーム内を暖房する暖房装置等が設けられている。この便座ボックス２は、昇降装置（図示略）によって洋風便器本体１の上面から浮上可能とされている。
【００３７】
洋風便器本体１のトラップ部の外周面には、凍結防止用ヒータ（図示略）が設けられている。
【００３８】
トイレルームの鉛直な壁面にハンガー１０がビス（図示略）によって固定され、このハンガー１０にリモコン２０が着脱可能に装着されている。このリモコン２０は、この壁面に取り付けた状態において正面視した場合、左右方向に長い長方形の盤状である。
【００３９】
ハンガー１０は、１対の縦長の爪１１を備えている。リモコン２０の背面の縦長の係止溝２１が爪１１に係合することにより、リモコン２０がハンガーに装着される。ハンガー１０にはマグネット１２が設けられている。符号１３はビス孔、１４はストッパを示す。
【００４０】
このリモコン２０の前面には、第２図の通り、おしり洗浄用のおしりスイッチ２２、ビデスイッチ２４、濡れた臀部に温風を吹き付けて乾燥させるための乾燥スイッチ２５、洗浄及び乾燥停止用の止スイッチ２６、洗浄強さ調節スイッチ２７、洗浄位置調節スイッチ２８、ターボ脱臭スイッチ２９、マッサージスイッチ３０が設けられている。
【００４１】
おしりスイッチ（パワフルスイッチ）２２を押すと、洗浄ノズル５から温水が噴出し、臀部が洗浄される。おしりスイッチ２２は、もう１回押すと洗浄ノズル５が前後に動いて広い範囲が洗浄され（ワイドモード）、さらにもう１回押すとこのワイドモードが停止する。
【００４２】
ビデスイッチ２４についても、該ビデスイッチ２４を１回押すと洗浄ノズル５から温水が噴出し、もう１回押すと洗浄ノズル５が前後に動き（ワイドモード）、さらにもう１回押すとノズル５の前後移動がさらに大きくなり（スーパーワイドモード）、さらにもう１回押すとこのワイドモードが停止する。
【００４３】
おしり洗浄及びビデ洗浄の洗浄強さは、洗浄強さ調節スイッチ２７の操作によって調節可能である。また、おしり洗浄、マイルド洗浄及びビデ洗浄の際における洗浄ノズル５の前後位置は、洗浄位置調節スイッチ２８の操作によって調節可能である。
【００４４】
乾燥スイッチ２５は、これを１回押すと比較的高温の温風が吹き出し、もう１回押すと中温の温風となり、さらにもう１回押すと比較的低温の温風となり、以下同様に「高」、「中」、「低」と切り替わる。止スイッチ２６を押すと、上述の洗浄や乾燥（温風吹出）動作が停止する。なお、この実施の形態では、洗浄は開始２分後に自動的に停止し、乾燥は開始４分後に自動的に停止するセルフストップ機構が採用されている。
【００４５】
ターボ脱臭スイッチ２９を押すと、脱臭装置が作動して便鉢内の臭気を脱臭し、もう１回押すと脱臭装置が停止する。
【００４６】
おしり洗浄時及びビデ洗浄時にマッサージスイッチ３０を押すと、洗浄ノズル５から高流速の温水と低流速の温水が交互に噴出する。
【００４７】
リモコン２０の上部には、便座３を電動装置によって開閉させるための便座開閉スイッチ３３、便器本体１を大洗浄するための大フラッシュスイッチ３１及び小洗浄するための小フラッシュスイッチ３２と、電源スイッチ３４が設けられている。
【００４８】
電源スイッチ３４を押すと、便器本体側の電源の入／切が切り替わる。
【００４９】
リモコン２０の上面部の左端及び右端にそれぞれ送信部３５が設けられている。この送信部３５内にはＬＥＤ３６（第４図）が設置されている。
【００５０】
なお、この実施の形態では、リモコン前面および上面のスイッチ２２，２４〜３４が第１の操作部としての第１スイッチであり、次に説明するリモコン背面のスイッチが第２の操作部としての第２スイッチである。
【００５１】
リモコン２０の背面中央には、液晶パネル等よりなる表示画面３７が設けられている。この表示画面３７には、時刻表示部、洗浄ノズル５から噴出する温水の水勢の表示部、乾燥用温風の温度表示部、節電モードとなっているか否かを表示する節電表示部、暖房装置の入／切を表示する暖房表示部、凍結防止用ヒータの入／切を表示する凍結防止表示部、電池残量を表示する電池残量表示部が設けられている。リモコン２０の背面の一端側には電池収納部３８が設けられている。
【００５２】
音声装置の操作エリアの右側には、時刻合わせ用の「時」スイッチ７０及び「分」スイッチ７１、温水洗浄装置の温水温度設定スイッチ７２、便座温度設定スイッチ７３、ノズル掃除スイッチ８０、足許及び便鉢内の照明の入／切スイッチ８１、本体掃除スイッチ８２、前記イオン発生器を作動させる快適イオンスイッチ８３、ワンタッチ節電スイッチ９０、スーパー節電スイッチ９１、自動洗浄スイッチ９２、フルオート便座スイッチ９３、前記暖房装置を作動させる暖房温度スイッチ９４、冷込防止スイッチ９５が設けられている。
【００５３】
なお、ノズル掃除スイッチ８０を押すと、洗浄ノズル５がその収納部内に収納されたまま約５秒間該ノズル５に水が注ぎかけられ、ノズル５が水洗いされる。本体掃除スイッチ８２は、これを１回押すと昇降装置が便座ボックス２を浮上させ、もう１回押すと昇降装置が便座ボックス２を元の位置に下降させる。
【００５４】
ワンタッチ節電スイッチ９０を押すと、押してから８時間の間、温水用ヒータ及び便座用ヒータが切電された後、給電されて設定温度に戻る。
【００５５】
スーパー節電スイッチ９１を押すと、便蓋４が閉じている間は便座用ヒータ及び温水用ヒータが省エネ温度とされる。
【００５６】
自動洗浄スイッチ９２を押して自動洗浄モードにすると、着座センサが着座を検知した後に離座を検知したときに、便鉢内が自動的に洗浄される。
【００５７】
フルオート便座スイッチ９３を押してフルオート便座モードとすると、人体検知センサ６が人体を感知したときに便蓋４が自動的に開き、人体を感知しなくなると便蓋４が自動的に閉まる。
【００５８】
冷込防止スイッチ９５を押すと、トイレルーム内の室温が４℃以下になったときに前記暖房装置を作動させて、室温を５℃に保つ。
【００５９】
リモコン２０のハンガー１０への装着を検知するために、ハンガー１０のマグネット１２に感応するリードスイッチ９８（第４図）がリモコン２０に内蔵されている。
【００６０】
第４図の通り、リモコン２０内のマイコン１００へは、各スイッチ及びリードスイッチ９８から信号が入力され、これに基づいてＬＥＤ３６の駆動回路１０１を制御する。
【００６１】
次にこの制御内容について第５図〜第１０図を参照して説明する。
【００６２】
［請求項１及び６の実施の形態］
第５図は請求項１及び６の制御内容を示すフローである。
【００６３】
リモコン２０がハンガー１０に装着されているときには、リモコン２０の前面又は上面の第１スイッチを操作すると、通常通り、それに対応した信号が送信される（ステップ１１１，１１７，１１８）。
【００６４】
リモコン２０がハンガー１０から離脱している場合には、リモコン２０の背面の第２スイッチが操作されたときには、操作されたスイッチに対応した信号が送信される（ステップ１１２〜１１４）。
【００６５】
リモコン２０がハンガー１０から離脱している場合には、第１スイッチについては無効（操作されても信号を全く送信しない）としてもよいが、この実施の形態では、請求項６のように、１個の第１スイッチの操作については無効とするが、特定の複数の第１スイッチを長押しした場合には有効とし、特定の条件変更のための信号を送信するようにしている（ステップ１１５，１１６）。このような特定の条件変更としては、ブザー音の入／切、便器洗浄時間の変更、温水洗浄の噴出強度の変更、温水タンクの水抜き、各種設定の初期化などが例示される。
【００６６】
［請求項２及び６の実施の形態］
第６図は請求項２及び６の制御例を示すフローである。この制御フローでは、リモコン離脱状態では、「止」スイッチ２６の操作のみ有効とし、その他の第１スイッチについては特定の複数のスイッチの長押しの場合を除いて無効としている。
【００６７】
リモコン２０がハンガー１０に装着されている場合には、通常通り、第１スイッチが操作されると、それに対応した信号が送信される（ステップ１２１，１２９，１３０）。
【００６８】
リモコン２０がハンガー１０から離脱している場合、「止」スイッチ２６が操作されたときには、「止」信号を送信する（ステップ１２２，１２６）。その他の第１スイッチが操作された場合、特定の複数スイッチの長押しでない場合にはスイッチ操作は無効とされ（ステップ１２３，１２７）、特定の複数の第１スイッチの長押しの場合には、それに対応した信号が送信される（ステップ１２７，１２８）。
【００６９】
第２スイッチは有効であり、その操作信号は通常通り送信される（ステップ１２４，１２５）。
【００７０】
なお、この第６図のフローでは、請求項６の通り、特定の複数の第１スイッチの長押しの場合を有効としているが、この長押しを無効としてもよい。
【００７１】
［請求項３，４，５の実施の形態］
第７図は請求項３，４，５の実施の形態を示すフローである。
【００７２】
リモコン２０がハンガー１０に装着されているときには、第１スイッチの操作は有効である（ステップ１４０，１４９，１５０）。
【００７３】
リモコン２０がハンガー１０から離脱している場合、便器本体側の電源がオフとなっているときには、電源スイッチ３１以外のスイッチ操作は無効とされる（ステップ１４０，
１４１，１４６）。電源スイッチ３１が操作されたときには、電源ＯＮ信号を送信し（ステップ１４７）、ステップ１４０に戻る。
【００７４】
ステップ１４１において便器本体側の電源がオンとなっているならば、ステップ１４２に進む。そして、「止」スイッチ２６が操作されたときには、「止」信号が送信される（ステップ１４８）。その他の第１スイッチが操作されたときには、操作を無効とし、信号を送信せずにステップ１４０に戻る（ステップ１４３）。
【００７５】
第２スイッチの操作については有効とし、それに対応した信号を送信する（ステップ１４４，１４５）。
【００７６】
なお、この第７図の場合でも、ステップ１４４の判定結果がＹＥＳの場合、第５，６図と同様に特定の複数の第１スイッチの長押しであるか否か判断し、特定の複数の第１スイッチの長押しのときにはそれに対応した信号を送信し、そうでないときにスイッチ操作を無効とするようにしてもよい。
【００７７】
［請求項７の実施の形態］
第８図に請求項７のフローを示す。このフローは、第５図又は第６図のフローにおいて第１スイッチの無効を解除する機能をもたせたものである。
【００７８】
第５図又は第６図のフローにおける特定の複数の第１スイッチの長押しであるか否かの判定を行うステップ１１５又は１２７の判定結果がＹＥＳの場合、第８図のステップ１６０に進んで第１スイッチの無効を解除する。その後の所定時間（例えば１０〜６０秒、特に３０秒程度）は、いずれの第１スイッチが操作されても、それに対応した信号が送信される（ステップ１６１〜１６３）。
【００７９】
所定時間が経過するまでに第１スイッチが操作されないときには、第１スイッチの無効を復活させ（ステップ１６４，１６５）、その後初期状態（第５，６図のステップ１１１又は１２１）に移行する。
【００８０】
なお、第８図では、この所定時間を計時するタイマーは、無効解除状態で第１スイッチが操作された場合にはクリアーされ、この操作による信号送信後に改めて計時をスタートさせるようにしている（ステップ１６３）。ただし、第１スイッチの無効解除操作からの経過時間によって無効解除モードを終了させてもよい。また、自動解除ではなく、スイッチ操作で解除しても良い。
【００８１】
［請求項８の実施の形態］
第９図は請求項８の制御を示すフローである。
【００８２】
この制御は、リモコン２０をハンガー１０から取り外す際に意図せずに第１スイッチに触れたときには信号を送信しないようにしたものである。この実施の形態のその他のフローは第５図のフローと同じであり、ステップ１１１〜１１６は第５図のものと全く同じである。即ち、リモコン２０がハンガー１０から離脱しているときには、第２スイッチの操作は有効であるが、第１スイッチについては特定の複数の第１スイッチの長押しの場合を除き無効である。
【００８３】
リモコン２０がハンガー１０に装着されている場合に第１スイッチが操作されると、特定の短い所定時間（例えば１００ｍｓ〜１秒、特に５００ｍｓ程度）待機し、この間にリモコン２０がハンガー１０に離脱されたならば、この第１スイッチの操作は意図せずに指がスイッチに触れたことによるものとみなして無効とし、ステップ１１２に移行する（ステップ１７０，１７１）。この所定時間内にリモコン２０がハンガー１０に離脱されないときには、第１スイッチの操作は有効であるとみなし、そのスイッチ操作に対応した信号を送信する（ステップ１７２）。
【００８４】
なお、第９図は第５図にリモコン離脱時の誤信号送信防止フローを加えたものであるが、第６図、第７図にかかるフローを追加してもよい。
【００８５】
［請求項９の実施の形態］
第１０図は請求項９の制御を示すフローである。
【００８６】
この制御は、リモコン２０をハンガー１０に装着する際に意図せずに第１スイッチに触れたときには信号を送信しないようにしたものである。この実施の形態は、第５図のステップ１１２，１１５間にリモコン２０のハンガーへの装着動作検知ステップ１８０，１８１を設けたこと以外は第５図のフローと同じであり、ステップ１１１〜１１４，１１７，１１８は第５図のものと全く同じである。即ち、リモコン２０がハンガー１０に装着されているときには、第１スイッチの操作は有効であり、またリモコン２０がハンガー１０から離脱しているときでも第２スイッチの操作は有効である。
【００８７】
リモコン２０がハンガー１０から離脱した状態において第１スイッチが操作されたときにはステップ１１２からステップ１８０に移り、特定の短い所定時間（例えば１００ｍｓ〜１秒、特に５００ｍｓ程度）待機し、この間にリモコン２０がハンガー１０に装着されたならば、この第１スイッチの操作は意図せずに指がスイッチに触れたことによるものとみなして無効とし、ステップ１１１に戻る。この所定時間内にリモコン２０がハンガー１０に装着されないときには、第１スイッチの操作は意図したものであるとみなし、ステップ１１５に移り、特定の複数の第１スイッチの長押しであるときにはこれに対応した信号を送信する（ステップ１１６）。特定の複数の第１スイッチの長押しでないときには、ステップ１１１に戻る。
【００８８】
なお、第１０図は第５図にリモコン装着時の誤信号送信防止フローを加えたものであるが、第６図、第７図にかかるフローを追加してもよい。
【符号の説明】
【００８９】
１  便器本体
２  便座ボックス
３  便座
４  便蓋
５  洗浄ノズル
７  スピーカ
１０  ハンガー
１２  マグネット
２０  リモコン
２２〜３１，５０〜５２，６２〜６６，７０〜７３，８０〜８４，９０〜９５  スイッチ
３５  送信部
【図１】
2010196446.tif 000003
【図２】
2010196446.tif 000004
【図３】
2010196446.tif 000005
【図４】
2010196446.tif 000006
【図５】
2010196446.tif 000007
【図６】
2010196446.tif 000008
【図７】
2010196446.tif 000009
【図８】
2010196446.tif 000010
【図９】
2010196446.tif 000011
【図１０】
2010196446.tif 000012